(57)【特許請求の範囲】
【請求項１】
可撓性シート状のキャンバスと、前記キャンバスを後方側で巻き取ったり繰り出したりするように回転可能に支持された巻取体と、前記キャンバスの前端側に接続されて横幅方向へ連続する支持前枠と、後端部が前記巻取体側の不動部位に支持されるとともに前端部により前記支持前枠を支持し、前記支持前枠を前後移動させて前記不動部位と前記支持前枠の間隔を伸縮する伸縮アームと、前記伸縮アームを伸長方向へ付勢する付勢機構と、入力部材に加えられる動力を前記巻取体に伝達して前記巻取体を巻取り方向へ回転させる動力伝達切断機構とを備え、
前記動力伝達切断機構は、前記入力部材と前記巻取体との間の動力伝達経路を、外力により切り離すように構成され、
前記動力伝達切断機構は、前記巻取体に連動して回転するウォームホイールと、前記ウォームホイールに噛み合うウォームと、前記ウォームを前記ウォームホイールに噛み合せる接近方向へ付勢する付勢部材と、前記ウォームに対し一体的に回転するように係合した前記入力部材とを具備し、
前記ウォームは、前記外力を受けた際に前記付勢部材の付勢力に抗して前記接近方向に対する逆方向へ移動するように支持され、
前記入力部材は、前記ウォームに対し一体回転可能に係合し、
さらに、前記入力部材は、該入力部材の軸芯部を中心に回転可能であって且つ前記接近方向及び前記逆方向へ回動可能に、不動部位に支持されていることを特徴とするオーニング装置。
【請求項２】
前記入力部材は、前記ウォームの軸心部に貫通状に挿通されていることを特徴とする請求項１記載のオーニング装置。
【請求項３】
前記入力部材に対し軸方向へ移動するように環状に嵌り合った抱持部材と、該抱持部材を前記逆方向へ引っ張るレバー部材とを備え、
前記付勢部材は、前記抱持部材を前記接近方向へ引っ張るように設けられ、
前記レバー部材は、不動部位に対し回転自在に支持され、その回転中心部から径方向へ離れた一部分が前記抱持部材に対し回転自在に接続されるとともに、前記回転中心部から離れた他の部分が外部から操作可能に設けられていることを特徴とする請求項１又は２記載のオーニング装置。
【請求項４】
前記付勢機構による付勢力に対抗するように抵抗を付加するダンパー機構を設けたことを特徴とする請求項１乃至３何れか１項記載のオーニング装置。
【請求項５】
前記ダンパー機構は、前記巻取体の繰り出し方向の回転に抵抗を付加するように設けられた一方向性のロータリーダンパーであることを特徴とする請求項１乃至４何れか１項記載のオーニング装置。
【発明の詳細な説明】
【技術分野】
【０００１】
本発明は、キャンバスを張出したり収納したりするオーニング装置に関するものである。
【背景技術】
【０００２】
従来、この種の発明には、例えば特許文献１に記載のもののように、可撓性を有するシート状のキャンバスと、該キャンバスの前端側が止着されたキャンバス支持枠と、該キャンバスを後方側で巻き取ったり繰り出したりする回転体と、該回転体を手動で駆動回転させる駆動機構と、前記キャンバス支持枠を支持するとともに前後に伸縮可能なアームとを備えたオーニング装置がある。
【先行技術文献】
【特許文献】
【０００３】
【特許文献１】特開２０００−１７９６２８号公報
【発明の概要】
【発明が解決しようとする課題】
【０００４】
前記従来技術によれば、手動で前記回転体を繰出し方向へ回転させると、キャンバスが繰り出されるのに伴って、前記キャンバス支持枠が前記巻取体から離れてゆくとともに、前記伸縮アームが曲げられた状態から展開されるように伸長してゆく。また、手動で前記回転体を巻取り方向へ回転させれば、キャンバスが前記回転体に巻き取られるのに伴って、前記キャンバス支持枠が前記回転体に近づくとともに、前記伸縮アームが折れ曲がるように収縮する。
このように、手動式のオーニング装置では、キャンバスを張り出す動作と引き込む動作との両方の動作において、手動で前記回転体を回転させなければならない。電動で前記回転体を回転させるようにしたオーニング装置も周知であるが、モータや制御回路、リモコン装置等が必要であり、構造が複雑な上、製造コストも高騰してしまう。
【課題を解決するための手段】
【０００５】
このような課題に鑑みて、本発明は、以下の構成を具備するものである。
可撓性シート状のキャンバスと、前記キャンバスを後方側で巻き取ったり繰り出したりするように回転可能に支持された巻取体と、前記キャンバスの前端側に接続されて横幅方向へ連続する支持前枠と、後端部が前記巻取体側の不動部位に支持されるとともに前端部により前記支持前枠を支持し、前記支持前枠を前後移動させて前記不動部位と前記支持前枠の間隔を伸縮する伸縮アームと、前記伸縮アームを伸長方向へ付勢する付勢機構と、入力部材に加えられる動力を前記巻取体に伝達して前記巻取体を巻取り方向へ回転させる動力伝達切断機構とを備え、前記動力伝達切断機構は、前記入力部材と前記巻取体との間の動力伝達経路を、外力により切り離すように構成され、前記動力伝達切断機構は、前記巻取体に連動して回転するウォームホイールと、前記ウォームホイールに噛み合うウォームと、前記ウォームを前記ウォームホイールに噛み合せる接近方向へ付勢する付勢部材と、前記ウォームに対し一体的に回転するように係合した前記入力部材とを具備し、前記ウォームは、前記外力を受けた際に前記付勢部材の付勢力に抗して前記接近方向に対する逆方向へ移動するように支持され、前記入力部材は、前記ウォームに対し一体回転可能に係合し、さらに、前記入力部材は、該入力部材の軸芯部を中心に回転可能であって且つ前記接近方向及び前記逆方向へ回動可能に、不動部位に支持されていることを特徴とするオーニング装置。
【図面の簡単な説明】
【０００６】
【図１】本発明に係るオーニング装置の一例を示す斜視図である。
【図２】同オーニング装置における伸縮アームの一例を示す平面図である。
【図３】同オーニング装置における動力伝達切断機構の一例を示す構造図である。
【図４】動力伝達切断ユニット、ロータリーダンパー及び回転芯を示す正面図である。
【図５】動力伝達切断ユニットの一例を示す要部構造図であり、（ａ）は動力伝達経路を接続した状態、（ｂ）は動力伝達経路を切断した状態を示す。
【発明を実施するための形態】
【０００７】
以下、図面を参照しながら本発明の実施形態を説明する。以下、異なる図における同一符号は略同一の構成を示しており、重複する説明は適宜省略する。
【０００８】
図１は、本発明に係るオーニング装置の一例を示す。
このオーニング装置Ａは、可撓性シート状のキャンバス１０と、キャンバス１０を後方側で巻き取ったり繰り出したりするように回転可能に支持された巻取体２０と、キャンバス１０の前端側に接続されて横幅方向へ連続する支持前枠３０と、後端部が巻取体２０側の不動部位に支持されるとともに前端部により支持前枠３０を支持し、支持前枠３０を前後移動させて前記不動部位と前記支持前枠３０の水平方向の間隔を伸縮する伸縮アーム４０と、伸縮アーム４０を伸長方向へ付勢する付勢機構５０（図２参照）と、入力部材６４に加えられる動力を巻取体２０に伝達して巻取体２０を巻取り方向へ回転させる動力伝達切断ユニット６０とを備える。
【０００９】
キャンバス１０は、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料によって平面視略矩形状に構成される。
このキャンバス１０の前端部は、支持前枠３０に止着され、同キャンバス１０の後端部は、巻取体２０の外周に止着されている。
【００１０】
巻取体２０は、キャンバス１０の横幅方向の全長と略同等の長さの円筒体状に形成される。
この巻取体２０の一端側（図１によれば右端側）は、ベアリング（図示せず）及び支持ブラケット２２等を介して、支持基体２１に対し回転自在に支持されている。支持基体２１は、金属等の剛性材料からなる長尺部材であり、巻取体２０の下方側に略平行に配置され、取付ブラケット２３（図１参照）により当該オーニング装置Ａの設置対象物に固定される。
また、巻取体２０の他端側（図１によれば左端側）は、後述する動力伝達切断ユニット６０、ダンパー機構７１及び回転芯７２、支持ブラケット２２等介して、支持基体２１に対し回転自在に支持されている。
【００１１】
支持前枠３０は、キャンバス１０の横幅方向の略全長にわたる棒状の部材であり、金属材料や合成樹脂材料等の硬質材料から構成される。
この支持前枠３０は、後述する複数（図示例によれば２つ）の伸縮アーム４０の前端部によって支持される。
この支持前枠３０には、暖簾状の前幕３１の上端部が止着されている。この前幕３１は省くことも可能である。
【００１２】
伸縮アーム４０は、キャンバス１０の下方側において、巻取体２０と支持前枠３０の間における横幅方向の一端側と他端側にそれぞれ配設され、支持前枠３０を前後に進退させるように支持している。
各伸縮アーム４０は、不動部位である支持基体２１に対し略水平な横方向に回動するように枢支された後アーム４１と、後アーム４１の前端側部分に対し略水平な横方向へ回動するように枢支された前アーム４２とから一体的に構成される。
後アーム４１と前アーム４２は、金属製の角筒状部材であり、ヒンジ等を介してその一方に対し他方が横方向へ回動するように接続されている。
各伸縮アーム４０は、後アーム４１と前アーム４２の間の接続部分を、へ字状に折り曲げるようにしてオーニング装置Ａ内の空間側へ移動させて、前後端部間を収縮させる。
【００１３】
後アーム５１及び前アーム５２の内部には、付勢機構５０（図２参照）が設けられる。
この付勢機構５０は、引張りバネ５１と、該引張りバネ５１に直列に接続されたワイヤー５２とを具備する。
引張りバネ５１の一端側（図２によれば左端側）は、後アーム４１に止着されている。また、ワイヤー５２の他端側（図２によれば右端側）は、後アーム４１と前アーム４２の関節部分を通って前アーム４２内に挿入され、該前アーム４２に止着されている。ワイヤー５２の中途部分は、後アーム４１と前アーム４２の接続部分に形成された溝（図示せず）に、前後移動可能に挿通されている。
この付勢機構５０によれば、伸縮アーム４０に力が加わらない状態では、後アーム４１及び前アーム４２が、付勢機構５０の付勢力によって展開方向（伸びる方向）へ付勢される。また、キャンバス１０が巻取体２０に巻き取られることで、伸縮アーム４０に前後方向の圧縮力が加わった場合には、引張りバネ５１を伸長させ、後アーム４１と前アーム４２の間を折り曲げるように回動する。
【００１４】
動力伝達切断ユニット６０（動力伝達切断機構）は、入力部材６４に加わる動力を巻取体２０に伝達したり、その動力伝達経路を外力により切り離したりする機構である。
この動力伝達切断ユニット６０は、ケース６１内に、巻取体２０に連動して回転するウォームホイール６２と、ウォームホイール６２に噛み合うウォーム６３と、ウォーム６３に対し一体的に回転するように係合した入力部材６４と、入力部材６４の上端側を枢支する支持部材６５と、入力部材６４に対し軸方向へ移動するように嵌り合った抱持部材６６と、ウォーム６３をウォームホイール６２に噛み合せる接近方向へ付勢するように抱持部材６６を引っ張る第１の付勢部材６７と、抱持部材６６を第１付勢部材６７による付勢力に対抗するように引っ張るレバー部材６８と、ウォーム６４を下方へ付勢する第２の付勢部材６９とを具備し、入力部材６４と巻取体２０との間の動力伝達経路を、レバー部材６８に加わる外力により切り離すように構成されている。
【００１５】
ケース６１は、片半部６１ａと、該片半部６１ａに重ね合わせられ止着された他半部６１ｂとからなり、これら片半部６１ａと他半部６１ｂの内部に、ウォームホイール６２、ウォーム６３、入力部材６４、支持部材６５、抱持部材６６、第１の付勢部材６７、レバー部材６８及び第２の付勢部材６９等を収容するための空間を有する。
【００１６】
片半部６１ａは、図示例によれば、中央寄りに凹状の収容空間を有する平面視略矩形状に形成される。この片半部６１ａにおける前記収容空間の底面には、後述するダンパー機構７１の回転軸７１ａを回転自在に遊挿するための貫通孔６１ａ１が設けられる。
他半部６１ｂは、片半部６１ａと略同形状に形成され、片半部６１ａに対し重ね合わせられ、ボルト等の止着具によって止着固定されて、前記収容空間を閉鎖する。
【００１７】
ウォームホイール６２は、ウォームギヤ機構を構成するはす歯歯車であり、片半部６１ａに貫通されたダンパー機構７１の回転軸７１ａに、環状に装着され、回転軸７１ａと一体的に回転する。
図示例によれば、回転軸７１ａは角柱状に形成され、この角柱状の回転軸７１ａに対しウォームホイール６２が同芯状に嵌り合っている。
【００１８】
ウォーム６３は、ウォームホイール６２に噛み合ってウォームギヤ機構を構成するねじ歯車である。
このウォーム６３の軸心部には、入力部材６４が貫通状に挿通されている。ウォーム６３は、入力部材６４に対し、一体回転可能且つ軸方向移動可能に装着されている。
図示例によれば、入力部材６４の上部側は、角柱状に形成される。ウォーム６３の中心側には、角柱状の入力部材６４の外周部よりも若干大きい角孔（図示せず）が設けられる。ウォーム６３は、角柱状の入力部材６４に対し前記角孔を環状に嵌め合せている。
【００１９】
入力部材６４は、下方側から回転操作される操作軸部６４ａと、この操作軸部６４ａの上端に直線状に接続されて操作軸部６４ａの回転力を伝達する伝達軸部６４ｂとから一体回転可能に構成される。
【００２０】
操作軸部６４ａは、金属等の硬質材料から円柱軸状に形成され、その下端側に、先端フック状の手動操作棒（図示せず）を掛止するための環状部６４ａ１を有する。
【００２１】
伝達軸部６４ｂは、下半部側の円軸部６４ｂ１と、該円軸部６４ｂ１の上側で環状に突出する環状鍔部６４ｂ２と、該環状鍔部６４ｂ２の上側に同軸状に連続する角軸部６４ｂ３と、該角軸部６４ｂ３の上側に同軸状に連続する回転軸部６４ｂ４とから、一体的な略軸状に構成される。
【００２２】
円軸部６４ｂ１は、円柱状又は円筒状に形成される。この円軸部６４ｂ１の下端側には、操作軸部６４ａが同軸状に接続固定されている。また、円軸部６４ｂ１の上端側には、筒状の抱持部材６６が上下動可能に装着されている。
さらに、この円軸部６４ｂ１には、抱持部材６６と後述する環状鍔部６４ｂ２との間に位置するように、環状弾性体６４ｃが環状に装着されている。この環状弾性体６４ｃは、図示例によれば、複数のＯリング等の弾性体である。この環状弾性体６４ｃの他例としては、コイルスプリングや他の環状又は筒状の弾性体とすることが可能である。
環状弾性体６４ｃと環状鍔部６４ｂ２の間には、これらの間の摩擦抵抗を軽減するために、単数もしくは複数のワッシャ―６４ｃ１が環装される。
【００２３】
環状鍔部６４ｂ２は、円軸部６４ｂ１と角軸部６４ｂ３との間に位置し、角軸部６４ｂ３の外周面よりも径外方向へ環状に突出している。この環状鍔部６４ｂ２は、角軸部６４ｂ３に対し回転不能且つ軸方向移動不能であり、図示例によれば、機械加工により角軸部６４ｂ３と一体に形成される。
【００２４】
角軸部６４ｂ３は、その外周面を角柱状に形成している。この角軸部６４ｂ３には、ウォーム６３が上下動可能且つ一体回転可能に装着され、さらに、ウォーム６３の上側に第２の付勢部材６９が環状に装着されている。
【００２５】
回転軸部６４ｂ４は、その外周面を円柱状に形成している。この回転軸部６４ｂ４には、ワッシャ６４ｄ及びＯリング６４ｅが環状に装着される。そして、この回転軸部６４ｂ４におけるワッシャ６４ｄ及びＯリング６４ｅよりも上側の部分は、略筒状の支持部材６５に挿入されている。
【００２６】
支持部材６５は、上方を閉鎖した略有底筒状の部材であり、入力部材６４上端の回転軸部６４ｂ４に対し環状に装着され、入力部材６４に対し回転可能に嵌り合っている。
さらに、この支持部材６５の上端側は、不動部位であるケース６１（詳細には片半部６１ａ）に支持された軸部材６４ｆを中心にして回転するように、該軸部材６４ｆに環状に装着さている。軸部材６４ｆは、ケース６１の片半部６１ａからケース内側へ略垂直に突出する軸状の部材であり、図示例によれば、片半部６１ａを厚み方向へ貫通するボルトである。
【００２７】
抱持部材６６は、円軸部６４ｂ１に対し上下方向へ移動するように、該円軸部６４ｂ１の周囲に環状に嵌め合せられた筒状の部材である。
この抱持部材６６の外周部には、後述する第１の付勢部材６７とレバー部材６８が止着されている。
【００２８】
第１の付勢部材６７は、コイルスプリングである。この第１の付勢部材６７は、入力部材６４を境にしてウォームホイール６２側（図３によれば左側）に配置され、その一端側を不動部位であるケース６１（詳細には片半部６１ａ）に止着するとともに、その他端側を抱持部材６６に止着しており、ウォーム６３をウォームホイール６２に噛み合せる接近方向へ付勢する。
【００２９】
レバー部材６８は、入力部材６４を境にしてウォームホイール６２の逆側（図３によれば右側）に配置される。このレバー部材６８は、回転した際に、抱持部材６６を第１の付勢部材６７による付勢力に対抗するように引っ張る。
詳細に説明すれば、このレバー部材６８は、図示例によれば、回転支点部６８ａの両側に枢着部６８ｂと被操作部６８ｃとを有する逆三角形状に形成される。
回転支点部６８ａは、不動部位であるケース６１の片半部６１ａに対し、ボルト等の軸状部材により回転自在に枢支されている。
枢着部６８ｂは、抱持部材６６に対し軸状部材等を介して回転自在に接続されている。
被操作部６８ｃには貫通孔が設けられ、この貫通孔には、紐状部材６８ｄの一端側が止着されている。この紐状部材６８ｄの他端側は、下方へ垂れ下げられている。
そして、本実施の形態の好ましい一例によれば、レバー部材６８は、回転支点部６８ａから枢着部６８ｂまでの寸法（距離）よりも、回転支点部６８ａから被操作部６８ｃまでの寸法（距離）を長くしている。この構成によれば、紐状部材６８ｄに対する比較的軽い引っ張り操作により、入力部材６４を回動させることができ、その操作性が良好である。
なお、図示例のレバー部材６８は、被操作部６８ｃを外部に露出しているが、他例としては、被操作部６８ｃをケース６１内に配置するとともに、紐状部材６８ｄをケース６１内に引き込んで被操作部６８ｃに接続した態様とすることも可能である。
【００３０】
第２の付勢部材６９は、入力部材６４の角軸部６４ｂ３に環状に遊挿されたコイルスプリングであり、ウォーム６３を、入力部材６４に相対し下方へ付勢している。
詳細に説明すれば、圧縮された状態の第２の付勢部材６９の上端部は、ワッシャ６４ｄ及びＯリング６４ｅを介して支持部材６５の下端に当接している。また、同第２の付勢部材６９の下端部は、ウォーム６３の上端部に当接している。したがって、ウォーム６３は、第２の付勢部材６９により下方へ付勢され、その下端部を、環状鍔部６４ｂ２に当接させる。
【００３１】
ダンパー機構７１は、略円盤状の本体部７１ｂと、該本体部７１ｂに対し回転する回転軸７１ａとを備え、流体の粘性抵抗により回転軸７１ａの一方向のみの回転に抵抗を与えるようにした周知のワンウェイタイプのロータリーダンパーである。このダンパー機構７１は、巻取体２０の繰り出し回転に抵抗を与え、この抵抗を同巻取体２０が逆方向へ巻取り回転する際に解除する。
回転軸７１ａは、本体部７１ｂを貫通しており、その一端側の角柱状部分を動力伝達切断ユニット６０のケース６１内に挿入し、ウォームホイール６２の中心部に嵌合している。この回転軸７１ａの他端側には、同軸状に回転芯７２が固定される。
【００３２】
回転芯７２は、円筒状の部材であり、回転軸７１ａに対し回転不能に固定されている。この回転芯７２の外周部には、巻取体２０が一体回転可能に環状に嵌め合せられる。
【００３３】
なお、図１中、符号２４は、巻取体２０の側方を覆う側面カバーである。符号２５は、巻取体２０の上方を覆う天面カバーである。
【００３４】
また、図１中、符号５３は、各伸縮アーム４０と支持基体２１の間で、各伸縮アーム４０を上下方向へ揺動させる揺動機構である。
この揺動機構５３には、手動により伸縮アーム４０を上下に揺動させる機構（例えば、特開２０１０−２４７６１公報参照）、あるいは、電動により伸縮アーム４０を上下に揺動させる機構（例えば、特開２０１３−１９４４８３公報参照）等を適用すればよい。なお、揺動機構５３を省いて、伸縮アーム４０が揺動しない構造にすることも可能である。
【００３５】
次に、上記構成のオーニング装置Ａについて、その特徴的な作用効果を詳細に説明する。
先ず、左右の伸縮アーム４０を収縮して巻取体２０にキャンバス１０を巻き取った収納状態では、図５（ａ）に示すように、ウォームホイール６２がウォーム６３に噛み合って、巻取体２０が回転不能に保持される。
【００３６】
前記状態において、紐状部材６８ｄを下方へ引張り、レバー部材６８を一方向（図示例によれば時計方向）へ回動させれば、図５（ａ）（ｂ）に示すように、回動するレバー部材６８によって抱持部材６６が引っ張られる。この際、抱持部材６６は、環状弾性体６４ｃを収縮させて、入力部材６４に沿って上方へ移動しながらウォームホイール６２から離れる方向（図示例によれば右斜め上方）へ移動する。
【００３７】
したがって、抱持部材６６内に挿入されている入力部材６４が、軸部材６４ｆを支点にして回動し、ウォーム６３がウォームホイール６２から離れ、これらウォーム６３とウォームホイール６２の噛み合い状態が解除される。
【００３８】
このため、ウォームホイール６２、回転芯７２及び巻取体２０は、自在回転可能な状態になる。この後、付勢機構５０の付勢力により両伸縮アーム４０が伸長し、支持前枠３０が前進するため、この前進に伴って、キャンバス１０が巻取体２０から繰出され、巻取体２０が繰出し方向へ回転する。
そして、この際の回転速度は、ダンパー機構７１の抵抗によって抑制される。したがって、キャンバス１０は、前方へゆっくりと徐々に張り出されることになる。
【００３９】
キャンバス１０の張出し動作中、又はキャンバス１０の張出しが完了した後に、紐状部材６８ｄに対する下方への引張力が緩められると、第１の付勢部材６７の引張力により、レバー部材６８が逆方向へ回動するとともに、入力部材６４も元の状態に戻るように下方側を逆方向（図５によれば左方向）へ回動し、ウォーム６３がウォームホイール６２に噛み合う。このため、ウォームホイール６２及び巻取体２０等の回転が停止し、キャンバス１０の繰り出し動作も停止する。
なお、レバー部材６８が前記逆方向へ回動し、及び入力部材６４も前記逆方向へ回動すると、抱持部材６６は、環状弾性体６４ｃの弾発力により下方へスムーズに移動し、初期位置に戻される。
【００４０】
また、この停止中、巻取体２０を巻取り回転させるように、入力部材６４に回転力が加えられると、この入力部材６４は、支持部材６５及び抱持部材６６に対し、前記回転力の方向へ回転し、この回転に伴ってウォーム６３も同方向へ回転する。なお、この巻取り操作の際は、一方向性のダンパー機構７１の抵抗を受けない。
このため、回転するウォーム６３に噛み合ってウォームホイール６２も回転し、さらに、回転軸７１ａ、回転芯７２及び巻取体２０が同方向へ回転し、キャンバス１０が巻取体２０に巻き取られ、両伸縮アーム４０が収縮して行く。
【００４１】
そして、巻取体２０がキャンバス１０を巻き切った後、入力部材６４に加わる回転力が継続していた場合には、ウォーム６３が第２の付勢部材６９の付勢力に抗して上昇しウォームホイール６２から上方へ外れる。このため、巻取体２０がキャンバス１０を巻き過ぎにより破損させてしまうようなことを防ぐことができる。
また、上述した張り出し操作によりキャンバス１０が張り出し切った後に、巻取体２０を巻取り回転させようとして入力部材６４を間違えて逆方向へ回転させてしまった場合にも、ウォーム６３が第２の付勢部材６９の付勢力に抗して上昇しウォームホイール６２から上方へ外れるため、巻取体２０がキャンバス１０を逆巻きしてしまうのを防ぐことができる。
なお、ウォーム６３の上昇等の作用効果は、特許文献１に記載される発明と同様である。
【００４２】
よって、オーニング装置Ａによれば、モータ等の電動駆動源を用いたり手動操作棒（図示せず）の連続回転操作をしたりすることなく、レバー部材６８の操作のみによってキャンバス１０を所望とする位置まで容易に張り出すことができる。
【００４３】
なお、上記実施の形態によれば、伸縮アーム４０を後アーム４１と前アーム４２の２本のアームから構成したが、伸縮アーム４０の他例としては、折れ曲がるようにした３以上のアームとした態様とすることも可能である。
さらに、伸縮アーム４０の他例としては、後端側を不動部位に枢支するとともに前端側を支持前枠３０に枢支した一本のアームとすることも可能である。この他例によれば、前記一本のアームが後端側の前記枢支箇所を支点にして回動するため、該アーム前端の支持前枠３０を前後方向へ移動させることができる。
さらに、伸縮アーム４０の他例としては、内外に重なりあった複数の筒状部材を互いにスライドさせて伸縮する態様とすることも可能である。
【００４４】
また、上記実施の形態によれば、伸縮アーム４０を伸縮させるための付勢機構５０として引張りバネ５１及びワイヤー５２を用いたが、付勢機構５０の他例としては、後アーム５１と前アーム５２を軸支する部分にねじりコイルバネや板バネ等を設けた態様等、他の構造とすることも可能である。
さらに、付勢機構５０の他例としては、引張りバネ５１及びワイヤー５２を省いて、伸縮アーム４０及び支持前枠３０の前側部分の重量のみにより、伸縮アーム４０を伸長させる態様とすることも可能である。
【００４５】
また、上記実施の形態によれば、ウォームホイール６２とウォーム６３の間の動力伝達経路を切断するようにしたが、他例としては、図示しない他のクラッチ機構により入力部材６４と巻取体２０の間の動力伝達経路を切断する構成することも可能である。
【００４６】
また、上記実施の形態によれば、ダンパー機構７１としてロータリーダンパーを用いたが、このダンパー機構７１の他例としては、ピストン及びシリンダー等を組み合わせた直動式のダンパーを用いることも可能である。
【００４７】
また、本発明は上述した実施の形態に限定されず、本発明の要旨を変更しない範囲で適宜変更可能である。
【符号の説明】
【００４８】
１０：キャンバス
２０：巻取体
３０：支持前枠
４０：伸縮アーム
４１：後アーム
４２：前アーム
５０：付勢機構
５１：引張りバネ
５２：ワイヤー
６０：動力伝達切断ユニット（動力伝達切断機構）
６１：ケース
６２：ウォームホイール
６３：ウォーム
６４：入力部材
６５：支持部材
６６：抱持部材
６７：第１の付勢部材
６８：レバー部材
６９：第２の付勢部材
Ａ：オーニング装置
【図１】
0006716286.tif 000002
【図２】
0006716286.tif 000003
【図３】
0006716286.tif 000004
【図４】
0006716286.tif 000005
【図５】
0006716286.tif 000006